(57)【要約】【課題】本発明は、特に米などの穀物類を入れて保管、輸送、陳列等するのに好適な空気抜き機能を有する包装袋を提供することを目的とする。【解決手段】穀物類を収納するプラスチックフィルムを主材とする包装袋において、前記包装袋のヒートシールによって形成される袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように一定の間隔で複数個設け、内端縁部エッジ線に対して１０〜４０度の角度で、前記半円中心として袋の内側と外側に延びる袋を貫通する直線状スリット（切れ目）を任意の半円状非シール部に複数個形成したことを特徴とする包装袋である。【選択図】図１
2004131177.tif 000002
【特許請求の範囲】
【請求項１】
穀物類を収納するプラスチックフィルムを主材とする包装袋において、
前記包装袋のヒートシールによって形成される袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように一定の間隔で複数個設け、内端縁部エッジ線に対して１０〜４０度の角度で、前記半円中心として袋の内側と外側に延びる袋を貫通する直線状スリット（切れ目）を任意の半円状非シール部に複数個形成したことを特徴とする包装袋。
【請求項２】
前記包装袋のヒートシールによって形成される袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように一定の間隔で複数個設け、内端縁部エッジ線に対して３０度近傍の角度で、前記半円中心として袋の内側と外側に延びる袋を貫通する直線状スリット（切れ目）を任意の半円状非シール部に複数個形成したことを特徴とする請求項１記載の包装袋。
【請求項３】
前記袋長手方向両サイドシール部が、シール部に部分的に任意の形状の非シール部を有するパターンシール部からなることを特徴とする請求項１または２記載の包装袋。
【請求項４】
前記直線状スリットが、半円状非シール部の半円中心として袋の内側に２ｍｍ、袋の外側に２ｍｍ延びる直線状スリットであることを特徴とする請求項１〜３のいずれか１項に記載の包装袋。
【請求項５】
前記半円状非シール部を、袋長手方向両サイドシール部の任意の位置に各々１５箇所以内設けたことを特徴とする請求項１〜４のいずれか１項に記載の包装袋。
【請求項６】
前記直線状スリットを、袋長手方向両サイドシール部に設けた任意の半円状非シール部に各々１０箇所以内設けたことを特徴とする請求項１〜５のいずれか１項に記載の包装袋。
【発明の詳細な説明】
【０００１】
【発明の属する技術分野】
本発明は、プラスチックフィルムを主体とする包装袋に関し、特に米などの穀物類を入れて保管、輸送、陳列等するのに好適な包装袋の改良に関するものである。
【０００２】
【従来の技術】
米等の穀類を入れて市販するための袋として、従来、プラスチックフィルムやプラスチックシートなどがチューブ袋、三方シール袋、ガゼット袋等の形態で使用されている。このようなプラスチック製袋は、安価で大量生産できる上、密閉性に優れて丈夫であり、また、透明あるいは半透明であるため、袋の中の内容物を見ることができるという利点がある。例えば、米を長方形のプラスチック製袋に入れる場合、開放されている開口端部から袋内に米を入れた後、この開口端部をヒートシール溶着することで米を袋内に封入することができる。
【０００３】
上記のようにプラスチック製袋内に米等を入れてシールすると、袋内には米と一緒に空気も入るが、多量の空気が袋から抜けずに残留すると、嵩張るばかりでなく、穀物類を収納した包装袋を何段にも積み重ねる場合、穀物類を充填する際に空気が包装袋に密封されると包装袋は膨れ、重ね過ぎると上段の重量により下段の包装袋が破れて荷崩れするので極めて危険である。また、上に積み上げた重さや衝撃で袋が破裂し、米が流出してしまう危惧がある。
【０００４】
そのため、例えば、図７に示すような従来のプラスチック製袋が特許文献１に開示されている。このプラスチック製袋は、図に示すように、袋１６のシール部１８に適当な間隔で前記シール部１８のシール幅方向に袋の内側より部分的な非シール部１９を設け、該非シール部１９の上下いずれか一方または両方の袋素材１７に通気孔２０を有する穀物用袋としたもので、直径１〜２ｍｍ程度の脱気用の孔（通気孔）を表面に数ヶ所あけることで、米を入れて密封したとき、あるいはこれを積み上げたときに、袋の中の空気が抜けるようにしていた。しかしながら、前記通気孔２０が、直径１〜２ｍｍ程度の脱気用の孔（通気孔）は、当然１〜２ｍｍφ以下のザイズの埃や害虫等の異物が混入する危惧や、このような通気孔を有するプラスチック製袋に米等を入れて保管や輸送、あるいは陳列した場合、孔から埃が入るばかりでなく、袋が濡れたときなどに水が侵入してしまうなどの問題がある。
【０００５】
従来の米など穀物類を収納する空気抜き機能付きの袋に関する上記問題点を解決するために、また、例えば、図８に示すような精米用袋しての樹脂製袋が、特許文献２に開示されている。
この樹脂製袋２１は、図に示すように、端部を溶着してなる樹脂製袋であって、通気用の複数の切れ目２３が、袋の溶着部２２の内側に沿って溶着部２２の長手方向に対して垂直に形成されているもので、前記通気用の切れ目２３が、０．５ｍｍから２０ｍｍの範囲内の長さを有し、かつ１ｍｍから１００ｍｍの間隔を設けて、前記袋の一方の面にのみ形成されているものである。
【０００６】
上記樹脂製袋２１において、例えば、切れ目２３の長さが２〜３ｍｍで、１ｍｍ間隔で溶着部２２の長手方向に対して垂直に設けたような場合は、切れ目２３間の間隔が狭く、袋に張力、衝撃が加わった場合、シール部２２の切れ、切れ目２３の広がりなどの問題が生ずる危惧がある。
【０００７】
また、上記樹脂製袋２１において、図９に拡大して示すように、４５°ないし９０°の範囲で、溶着部２２の長手方向に対してクロスするように切れ目２７を形成することもできるが、溶着部２２に係る切れ目部２６では空気抜きができず、未シール部の切れ目部２５のみでの空気抜きでは不十分であって、袋内空気を十分に抜くためには、切れ目２５の長さを長くするかもしくは切れ目２７の間隔を狭くして、切れ目２７の数を多くしなければならない。これにより、袋に張力、衝撃が加わった場合、シール部の切れ、切れ目が広がり袋強度が低下し、破袋や外気の過剰の混入により、袋内の米などの内容物の劣化等の問題が生ずる危惧がある。
【０００８】
【特許文献１】
実開平１−７３１４４号公報
【特許文献２】
特開２００２−９６８４２号公報
【０００９】
【発明が解決しようとする課題】
本発明は、米など穀物類を収納する空気抜き機能付きの包装袋に関する上記問題点を解決するためになされたもので、包装袋のシール部の切れ、カール、変形、およびスリット（切れ目）の裂けや広がり等の防止を可能とする、かつ、埃が入らず、内容物がこぼれでない構造からなる、特に米などの穀物類を入れて保管、輸送、陳列等するのに好適な空気抜き機能を有する包装袋を提供することを目的とする。
【００１０】
【課題を解決するための手段】
本発明は、上記の目的を達成するために、請求項１に係る発明は、穀物類を収納するプラスチックフィルムを主材とする包装袋において、
前記包装袋のヒートシールによって形成される袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように一定の間隔で複数個設け、内端縁部エッジ線に対して１０〜４０度の角度で、前記半円中心として袋の内側と外側に延びる袋を貫通する直線状スリット（切れ目）を任意の半円状非シール部に複数個形成したことを特徴とする包装袋である。
【００１１】
請求項２に係る発明は、請求項１記載の包装袋において、前記包装袋のヒートシールによって形成される袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように一定の間隔で複数個設け、内端縁部エッジ線に対して３０度近傍の角度で、前記半円中心として袋の内側と外側に延びる袋を貫通する直線状スリット（切れ目）を任意の半円状非シール部に複数個形成したことを特徴とする。
【００１２】
請求項３に係る発明は、請求項１または２記載の包装袋において、前記袋長手方向両サイドシール部が、シール部に部分的に任意の形状の非シール部を有するパターンシール部からなることを特徴とする。
【００１３】
請求項４に係る発明は、請求項１〜３のいずれか１項に記載の包装袋において、前記直線状スリットが、半円状非シール部の半円中心として袋の内側に２ｍｍ、袋の外側に２ｍｍ延びる直線状スリットであることを特徴とする。
【００１４】
請求項５に係る発明は、請求項１〜４のいずれか１項に記載の包装袋において、前記半円状非シール部を、袋長手方向両サイドシール部の任意の位置に各々１５箇所以内設けたことを特徴とする。
【００１５】
請求項６に係る発明は、請求項１〜５のいずれか１項に記載の包装袋において、前記直線状スリットを、袋長手方向両サイドシール部に設けた任意の半円状非シール部に各々１０箇所以内設けたことを特徴とする。
【００１６】
【発明の実施の形態】
本発明の包装袋の好ましい実施形態について図面に基づいて以下に詳細に説明する。
図１は、本発明の包装袋の一例を示したもので、（ａ）は、その概略図であり、（ｂ）は、（ａ）に示した包装袋のシール部付近Ｒを示した拡大概略図である。
本発明の包装袋１は、例えば、図１に示すように、包装袋のヒートシールによって形成される任意の形状の非シール部６を部分的に有する袋長手方向両サイドシール部２，２′の内端縁部から包装袋の縁部に向かってシール巾方向に部分的に半円状の非シール部４を形成し、該半円状非シール部４が、袋長手方向両サイドシール部２，２′の内端縁部エッジ線９，９′上と半円の中心が交差するように、かつ各々の両サイドシール部で対向するように対称の位置に所定の間隔で各々８個の半円状非シール部４を設け、さらに内端縁部エッジ線９，９′に対して１０〜４０度（θ）の範囲の角度で、前記半円中心として袋の内側と外側に延びる袋を貫通する直線状スリット５を、両サイドシール部で対向して対称となる位置に各々４個形成した穀物類を収納するプラスチックフィルムを主材とする包装袋である。
【００１７】
また、図２は、本発明の包装袋の一例を具体的に示したもので、（ａ）は、その概略図であり、（ｂ）は、（ａ）に示した包装袋のシール部付近Ｒを示した拡大概略図である。この包装体１０は、上記包装体１のヒートシールによって形成される任意の形状の非シール部６を部分的に有する袋長手方向両サイドシール部２，２′のシール巾を１０ｍｍとし、シール部の内端縁部から包装袋の縁部に向かってシール巾方向に部分的に半円状の非シール部４を形成し、該半円状非シール部４が、袋長手方向両サイドシール部２，２′の内端縁部エッジ線９，９′上と半円の中心が交差するように、かつ各々の両サイドシール部で対向するように対称の位置に所定の間隔で各々８個の半円状非シール部４を設け、さらに内端縁部エッジ線９，９′に対して１０〜４０度（θ）の範囲の角度で、前記半円中心として袋の内側２ｍｍと外側に２ｍｍ延びる袋を貫通する直線状スリット５を、両サイドシール部で対向して対称となる位置に各々４個形成した穀物類を収納するプラスチックフィルムを主材とする包装袋である。
【００１８】
本発明の包装袋において、上記のθが１０〜４０度の範囲の角度のうち３０度近傍の角度が特に好ましい。すなわち、θが３０度近傍の角度の場合、直線状スリットからのエアーが容易に素早く抜け、内容物による強い張力が、両サイドシール部長手方向に対して垂直方向に作用しても、通気用直線状スリットの裂けや広がり防止効果が特に優れるからである。
【００１９】
また、図３は、本発明の包装袋の別の例を示したもので、この包装体１１は、上記包装体１０において、袋の長さを４７０ｍｍとし、袋長手方向両サイドシール部２，２′に、半円状非シール部４の半円中心として袋の内側と外側に延びる袋を貫通する各々４個の直線状スリット５ａ（５′ａ），５ｂ（５′ｂ），５ｃ（５′ｃ），５ｄ（５′ｄ）を形成したスリット５ａ（５′ａ）と５ｃ（５′ｃ）との間隔を２３５ｍｍに設定して製造されたプラスチックフィルムを主材とする包装袋である。この包装袋１１は、例えば穀物類等を約５Ｋｇ程度収納するのに好適な包装袋を提供するものである。
【００２０】
さらに、図４は、本発明の包装袋のさらに別の例を示したもので、上記の包装体１０において、袋の長さを５７０ｍｍとし、袋長手方向両サイドシール部２，２′に、半円状非シール部４の半円中心として袋の内側と外側に延びる袋を貫通する各々４個の直線状スリット５ａ（５′ａ），５ｂ（５′ｂ），５ｃ（５′ｃ），５ｄ（５′ｄ）を形成したスリット５ａ（５′ａ）と５ｃ（５′ｃ）との間隔を２８５ｍｍに設定して製造されたプラスチックフィルムを主材とする包装袋である。この包装袋１２は、例えば穀物類等を約１０Ｋｇ程度収納するのに好適な包装袋を提供するものである。
【００２１】
上記に例示した包装体は、いずれも袋長手方向両サイドシール部が、シール部に部分的に任意の形状の非シール部を有するパターンシール部からなる構成のものを挙げたが、これに限定されるものではなく、図５に示す包装体１３ようにベタシール部１４からなるサイドシール部であってもよい。
【００２２】
また、上記に例示した包装体は、いずれも包装体のヒートシールによって袋長手方向両サイドシール部の内端縁部から包装袋の縁部に向かってシール巾方向に部分的に半円状の非シール部を各々８個設けて、その半円状非シール部に直線状スリットを両サイドに対向する対称な位置に各々４こ設けた包装体を例示したが、本発明の実施形態はこれに限定されるものではなく、上記半円状非シール部は、両サイドシール部に任意の位置に各々１５箇所以内設けることができる。また、半円状非シール部に設ける上記直線状スリットも両サイドシール部に設けた任意の半円状非シール部に各々１０箇所以内設けることができる。
【００２３】
本発明の包装袋を構成する素材としては、内面がヒートシール性を有し、耐圧性に富んだ材料であれば、特に限定されるものではなく、例えば、延伸ナイロンフィルム（ＯＮｙ）／直鎖状低密度ポリエチレンフィルム（ＬＬＤＰＥ）、ＬＬＤＰＥ／ＬＬＤＰＥなどの積層フィルムが好ましく使用できる。
【００２４】
本発明の包装袋を構成する素材として、上記のＯＮｙ／ＬＬＤＰＥ積層フィルムを使用する場合は、袋長手方向両サイドシール部が、非シール部６を部分的に有するシール部もしくはベタシール部であっても良いが、ＬＬＤＰＥ／ＬＬＤＰＥ積層フィルムを使用する場合は、袋長手方向両サイドシール部が、ベタシール部を形成するとカールや波打ち等の変形が起り易いので、袋長手方向両サイドシール部として任意の形状からなる非シール部６を部分的に有するシール部を形成するのが好ましい。
【００２５】
従来の包装体は、袋の一方の面にのみ切り目を形成するもので、しかも図９で既に説明したように、シール部に係る切れ目部分はエアー抜きの効果がなく、袋内非溶着部に係る切れ目部分ではエアー抜きの効果が十分でなく、袋内空気を十分に抜くためには、切れ目の長さを長くするか、もしくは切れ目の間隔を狭くして、切れ目の数を多くしなければならず、これにより、袋に張力、衝撃が加わった場合、シール部の切れが生じたり、切れ目が広がり袋強度が低下し、破袋や外気の過剰の混入により、袋内の米などの内容物の劣化等の問題が生ずる危惧があった。
【００２６】
本発明の包装袋は上記の問題を解決したものであり、すなわち、本発明の包装袋は、袋長手方向両サイドシール部の内端縁部から包装袋の縁部に向かってシール巾方向に部分的に半円状の非シール部を形成し、該半円状非シール部が、袋長手方向両サイドシール部の内端縁部エッジ線上と半円の中心が交差するように所定の間隔で複数個設け、内端縁部エッジ線に対して１０〜４０度の角度、好ましくは３０度近傍の角度で、前記半円中心として袋の内側と外側に延びる袋を貫通する直線状スリットを任意の半円状非シール部に複数個形成した構成であることから、このように製造した三方シール袋の開口端部から、内容物として例えば米などの穀物類を所定量充填して開口端部を溶着し、このようにして米などの穀物類を袋内に封入すると、図６（ｂ）に示すように、米などの穀物類と一緒に袋内に入った空気は、半円状非シール部４に袋内の例えば米粒が侵入し、袋を貫通する直線状スリット５を通してエアーが容易に抜けるため、素早く袋の外に放出されので、従来の袋に比較して少ない個数スリット（切れ目）を形成すればよい。これを積み上げたり、あるいは輸送時等に衝撃を受けても、袋内に残留している空気は切れ目５を通じて放出されるので包装袋が破裂するようなおそれがなく、また、切れ目が広がって中の精米が流出するおそれもない。内に米等の穀物類を入れて保管、輸送、陳列した場合、脱気効果を十分に発揮するとともに埃や害虫、あるいは水の侵入を効果的に防ぐことができる。また、積み重ねたり、あるいは強い衝撃を受けても非常に破れ難く、米等の穀類や果物類を入れて安全に保管、輸送、陳列等することができる。
【００２７】
なお、本発明の技術的思想と実質的に同一な構成を有し、同様な効果を奏する包装体であれば、上記実施形態に限定されるものではない。
【００２８】
また、本発明の包装体は、好適な用途として、米などの穀物類を収納するプラスチックフィルムを主材とする包装体について説明したが、本発明に係る包装体の用途は米などの穀物類の収納に限定されず、麦、大豆、とうもろこし等の穀類のほか、果物類など、特に埃や害虫あるいは水の侵入が好ましくない食料等が挙げられ、これらを封入して保管、輸送、または陳列するために使用できる。また、袋の形態に関しても、長方形の一般的な形状に限定されず、正方形、台形等の形状の包装体とすることができ、その材質に関しても、プラスチックフィルムを主材とするものであれば特に限定されない。
【００２９】
【発明の効果】
本発明により、包装袋のヒートシールによって形成される袋長手方向両サイドシール部の内端縁部から包装袋の縁部に向かってシール巾方向に、内端縁部エッジ線上と半円の中心が交差するように、部分的に半円状非シール部を形成し、半円中心として袋の内側と外側に延びる袋を貫通する直線状スリット（切れ目）を形成したものであるから、包装体を貫通する通気用直線状スリットを通してエアーが容易に素早く抜けるため、特に米などの穀物類を入れて保管、輸送、陳列等するのに好適な空気抜き機能を有する包装袋を提供することができる。
【００３０】
また、包装体を貫通する通気用スリットが、１０〜４０の角度、好ましくは３０度近傍の角度を為して形成されているために、内容物による強い張力が、両サイドシール部長手方向に対して垂直方向に作用しても、通気用スリットの裂けや広がり等発生することがない。
【００３１】
また、従来の包装袋に比較して通気用スリットを多数形成する必要がなく、袋強度を維持できるので、積み重ねあるいは強い衝撃を受けても切れ目が裂け難く、極めて破れ難いので、埃が入らず、内容物を流出させることなく確実に袋の中に封入することができる。
【００３２】
また、両サイドシール部を、シール部に部分的に任意の形状の非シール部を有するパターンシール部とすることで、ヒートシールを施す際にシール部に切れ、カール、変形等を発生することがないため、外観に優れる包装袋が得られる。
【図面の簡単な説明】
【図１】本発明の包装袋の一例を示したものであり、
（ａ）は、その包装袋の概略図である。
（ｂ）は、（ａ）に示した包装袋のシール部付近を拡大して示した概略図である。
【図２】本発明の包装袋の他の例を示したものであり、
（ａ）は、その包装袋の概略図である。
（ｂ）は、（ａ）に示した包装袋のシール部付近を拡大して示した概略図である。
【図３】本発明の包装袋の別の例を示した概略図である。
【図４】本発明の包装袋のさらに別の例を示した概略図である。
【図５】本発明の包装袋において、ベタシール部を説明する説明図である。
【図６】本発明の包装袋において、スリット（切れ目）を通してエアー抜きを説明する説明図である。
【図７】従来の空気抜き機能付きプラスチック製袋の一例を示した概略図である。
【図８】従来の空気抜き機能付き樹脂製袋の一例を示した概略図である。
【図９】従来の空気抜き機能付き樹脂製袋の切れ目について説明する説明図である。
【符号の説明】
１、１０、１１、１２、１３、１５‥‥包装袋
２、２′、１４、１４′‥‥サイドシール部
３‥‥地シール部
４‥‥半円状非シール部
５、２３、２５、２６、２７‥‥スリット（切れ目）
６‥‥シール部に部分的に設けられた非シール部
７、２４‥‥開口端部
８、８′、１７‥‥袋素材（プラスチックフィルム）
９、９′‥‥サイドシール部の内端縁部エッジ線
１６‥‥プラスチック製袋
１８、２２‥‥シール部
１９‥‥凹状非シール部
２０‥‥通気孔
２１‥‥樹脂製袋
【図１】
2004131177.tif 000003
【図２】
2004131177.tif 000004
【図３】
2004131177.tif 000005
【図４】
2004131177.tif 000006
【図５】
2004131177.tif 000007
【図６】
2004131177.tif 000008
【図７】
2004131177.tif 000009
【図８】
2004131177.tif 000010
【図９】
2004131177.tif 000011